(57)【要約】【課題】  低コストで三次元立体画像を表示させることができ、かつ、サーバやネットワークのトラフィックに支障を来たすことのない、バーチャルショップにおける商品の表示装置の提供。【解決手段】  撮像装置２０で商品を所定の増分角度で撮影してキャプチャし１２個以上の整数個で画像を構成して記憶装置３０に記憶しておき、それをグラフィックサーバ装置１０の表示機能でバーチャルショップメイン画面上で回転表示させる。【選択図】  図１
2009211671.tif 000002
【特許請求の範囲】
【請求項１】
所定の商品を仮想現実空間に表示させるバーチャルショップにおける商品の表示装置であって、
前記商品を所定の増分角度で全周撮影する撮影手段と、
前記撮影手段が撮像した一連の商品画像を記憶する記憶手段と、
ネットワークを介してバーチャルショップ利用者端末と通信を行う通信手段と、
前記通信手段を介しての前記バーチャルショップ利用者端末からの要求に応じて前記一連の商品画像を前記記憶手段から読み出し所定の順で表示することで回転表示させる商品画像表示機能と
を備えることを特徴とするバーチャルショップにおける商品の表示装置。
【請求項２】
所定の商品を仮想現実空間に表示させるバーチャルショップにおける商品の表示方法であって、
前記商品を所定の増分角度で全周撮影してキャプチャし、
前記キャプチャした画像を１２個以上の整数個で構成し、
該１２個以上の整数個の画像を画面上で回転表示させる、
ことを特徴とするバーチャルショップにおける商品の表示方法。
【請求項３】
前記回転表示させる画像は画面中央に拡大表示されることを特徴とする請求項２に記載のバーチャルショップにおける商品の表示方法。
【請求項４】
前記画面中央に拡大表示される画像を選択することにより、前記商品の詳細説明に遷移することを特徴とする請求項２または３に記載のバーチャルショップにおける商品の表示方法。
【請求項５】
前記中央に拡大表示される画像は、複数表示されることを特徴とする請求項２ないし４のいずれか１項に記載のバーチャルショップにおける商品の表示方法。
【請求項６】
前記中央に拡大表示される複数の画像は、縦列又は横列にして表示されることを特徴とする請求項５に記載のバーチャルショップにおける商品の表示方法。
【請求項７】
前記中央に拡大表示される画像以外の複数の商品の画像は、画像の中心座標をずらせて前記中央に拡大表示される画像に重ならないように画面の左右に配置されていることを特徴とする請求項２ないし６のいずれか１項に記載のバーチャルショップにおける商品の表示方法。
【発明の詳細な説明】
【技術分野】
【０００１】
本発明は、インターネットのＷｅｂサイト上でのバーチャルショップにおける商品の表示方法に関し、特に、低コストで三次元立体画像を表示させることができ、かつ、サーバやネットワークのトラフィックに支障を来たすことのないバーチャルショップにおける商品の表示装置および表示方法に関する。
【背景技術】
【０００２】
近年、インターネットの爆発的な普及により、インターネットのＷｅｂサイト上でのバーチャルショップを通じて商品を購入することができるようになっている。この場合、希望する商品を購入する際には、購入希望者は、商品等が掲載されているバーチャルショップのホームページにアクセスし、商品の写真や仕様等を閲覧し、希望に見あう商品があれば、購入手続を行い、カード決済等で商品を購入する。そして、購入された商品は宅配便等で配送され、購入者の手元に届く。一連の決済手続や配送手続も最近では完備されてきているので、購入希望者は、自宅に居ながらにして容易に商品を購入することができる。
【０００３】
しかし、バーチャルショップを通じて購入する場合には、その商品をバーチャルショップのホームページで閲覧した際に想定していた商品のイメージと実際に購入者の手元に届いた購入商品との間に、イメージの差がある場合があり、購入者の購入商品に対する満足度が満たされないという問題がある。
【０００４】
このような問題を解消するため、例えば、特許文献１に開示されるような、商品表示・販売システムが提案されている。
この商品表示・販売システムでは、顧客の端末とネットワーク網を介して接続され、顧客の画像情報データを入力する画像情報データ入力手段と、業者が商品を登録するための商品登録手段と、この商品登録手段により登録された商品の中から顧客の要求する商品を検索する商品検索手段と、この商品検索手段により検索された商品と画像情報データ入力手段により入力された情報データから作成した顧客の画像とを合成する画像作成・合成手段と、この画像作成・合成手段により合成された画像を顧客の端末に出力する出力手段と、商品を購入する際に決済を行うための決済手段と、情報データを格納するデータベースと、を備え、顧客が要求した商品と顧客の画像とを合成し、三次元立体画像を形成して顧客の端末に出力するとともに、商品を購入することができる。
【特許文献１】特開２００２−６３５０８号公報
【発明の開示】
【発明が解決しようとする課題】
【０００５】
しかしながら、特許文献１で提案されている商品表示・販売システムによれば、顧客の画像情報データ入力手段や、画像情報データ入力手段で作成した顧客の画像と商品の画像とを合成により三次元立体画像を形成する画像作成・合成手段などをシステムに備えなければならないため、システム側で装置構成を準備するのに高価なものになったり、場合によっては、画像の容量大きいため画像が置かれるサーバやネットワークのトラフィックに高い負荷をかけてしまう、という問題があった。
【０００６】
一方で、高いコストをかけずに、あるいは、ネットワークのトラフィックに高い負荷をかけずに、商品そのものの三次元立体画像だけにしてホームページを構築したいという要望もある。ホームページへのアクセス時の高負荷を避けて、多くの顧客に容易に閲覧できるようにすることにより、より多くの購入機会が増えるからである。しかし、いずれにしても、三次元立体画像を形成するとなると、記憶容量が大きくなるという問題がある。
【０００７】
従って、本発明の目的は、低コストで三次元立体画像を表示させることができ、かつ、サーバやネットワークのトラフィックに支障を来たすことのない、バーチャルショップにおける商品の表示装置および表示方法を提供することにある。
【課題を解決するための手段】
【０００８】
本発明は、上記の目的を達成するため、所定の商品を仮想現実空間に表示させるバーチャルショップにおける商品の表示装置であって、前記商品を所定の増分角度で全周撮影する撮影手段と、前記撮影手段が撮像した一連の商品画像を記憶する記憶手段と、ネットワークを介してバーチャルショップ利用者端末と通信を行う通信手段と、前記通信手段を介しての前記バーチャルショップ利用者端末からの要求に応じて前記一連の商品画像を前記記憶手段から読み出し所定の順で表示することで回転表示させる商品画像表示機能とを備えることを特徴とするバーチャルショップにおける商品の表示装置を提供する。
【０００９】
本発明は、また、所定の商品を仮想現実空間に表示させるバーチャルショップにおける商品の表示方法であって、前記商品を所定の増分角度で全周撮影してキャプチャし、前記キャプチャした画像を１２個以上の整数個で構成し、該１２個以上の整数個の画像を画面上で回転表示させる、ことを特徴とするバーチャルショップにおける商品の表示方法を提供する。
【００１０】
以上の構成において、前記回転表示させる画像は画面中央に拡大表示されることが望ましく、また、前記画面中央に拡大表示される画像を選択することにより、前記商品の詳細説明に遷移することが望ましく、また、前記中央に拡大表示される画像は、複数表示されることが望ましく、また、前記中央に拡大表示される複数の画像は、縦列又は横列にして表示されることが望ましく、また、前記中央に拡大表示される画像以外の複数の商品の画像は、画像の中心座標をずらせて前記中央に拡大表示される画像に重ならないように画面の左右に配置されていることが望ましい。
【発明の効果】
【００１１】
本発明の表示装置によれば、商品を所定の増分角度で全周撮影する撮影手段と、撮像した一連の商品画像を記憶する記憶手段と、ネットワークを介してバーチャルショップ利用者端末と通信を行う通信手段と、バーチャルショップ利用者端末からの要求に応じて一連の商品画像を記憶手段から読み出し所定の順で表示することで回転表示させる商品画像表示機能とを備えているので、商品を所定の増分角度で撮影してキャプチャし、キャプチャした画像を１２個以上の整数個で構成し、該１２個以上の整数個の画像を画面上で回転表示させて低コストで三次元立体画像を表示させることができ、かつ、サーバやネットワークのトラフィックに支障を来たすことのない、バーチャルショップにおける商品の表示方法を提供することができる。
【発明を実施するための最良の形態】
【００１２】
以下、図面を参照しながら、本発明の一実施の形態に係るバーチャルショップにおける商品表示装置とその商品表示装置での商品の表示方法について説明する。
【００１３】
図１は、本発明のバーチャル商品表示装置の一実施形態の構成を示すブロック図である。
図１において、バーチャル商品表示装置１は、バーチャル商品表示装置１全体の制御と処理を行うグラフィックスサーバ装置１０と、商品の全周撮影などを行う撮像装置２０と、撮像装置２０で撮像された映像を記憶する記憶装置３０と、周辺入出力装置であるキーボード６０、マウス７０、表示装置８０およびプリンタ９０から構成されている。さらにバーチャル商品表示装置１は、グラフィックスサーバ装置１０の通信制御部１２を介してインターネットなどのネットワーク４０に接続されて、利用者端末５０Ａ、…、５０Ｂと通信可能に構成されている。
【００１４】
撮像装置２０は、商品を所定の増分角度で全周撮影する機能を有している。これは、被写体である商品を所定の増分角度づつ回転させてそのたびに撮影するようにしても良いし、複数の増分角度に対応する位置で同時に撮像するようにしても良い。本実施の形態では、全周３６０度を１２等分して３０度の増分角度で１２個の画像を１セットの一連の２次元画像データとする。
【００１５】
グラフィックスサーバ装置１０は、通信機能を備えたパソコンなどから構成され、商品映像の撮像や記憶、読み出しなどの処理を行う処理部１１と、利用者端末５０Ａ、…、５０Ｂとの通信制御を行う通信制御部１２と、入出力装置の制御を行う入出力制御部１３とを備えている。
【００１６】
処理部１１は、撮像装置２０を制御して商品の一連の２次元画像データを撮像装置２０に撮影させたり必要あれば背景映像を撮影させたりする撮像制御機能１１６と、ドロー、ペイント、シェーディング、映像補完、座標変換、色彩変換などの画像処理によって撮像装置２０で撮影した画像あるいは文字や作画したアニメーション画像を編集するグラフィックス編集機能１１１と、撮像装置２０で撮影した商品の一連の２次元画像データを記憶装置３０に記憶させる商品映像収録機能１１２と、記憶されている商品の一連の２次元画像データを記憶装置３０から読み出してバーチャルショップの表示画面上に編集して表示させる商品映像表示機能１１３と、撮像装置２０で撮影した、あるいはグラフィックス編集機能１１１で作画した背景画像データを記憶装置３０に記憶させる背景映像収録機能１１４と、記憶されている背景画像データを記憶装置３０から読み出して編集してバーチャルショップの表示画面上に表示させる背景映像表示機能１１５と、通信制御部１２を介して利用者端末通信５０Ａ、…、５０Ｂとの通信を制御する通信制御機能１１７と、入出力制御部１３を介してキーボード６０、マウス７０、表示装置８０およびプリンタ９０などの入出力装置を制御する入出力制御機能１１８を備えている。
【００１７】
通信制御部１２は、処理部１１の通信制御機能１１７の制御により、利用者端末５０Ａ、…、５０Ｂと通信し、バーチャルショップの表示要求があれば商品映像表示機能１１３と背景映像表示機能１１５を用いて利用者端末５０Ａ、…、５０Ｂの表示画面上にバーチャルショップを編集して表示させ、利用者の要求に応答する。
【００１８】
記憶手段３０は、ＦＤＤなどの比較的大容量の外部記憶手段であって、撮像装置２０で撮影した商品の一連の２次元画像データを商品別のセットとして、また、撮像装置２０で撮影した、あるいはグラフィックス編集機能１１１で作画した背景画像データを背景が綿羊として、それぞれ区別して記憶する。
【００１９】
ここで、図１、図２および図３に沿って本実施の形態の商品表示装置よるバーチャルショップにおける商品の表示方法を説明する。
図２および図３は本実施の形態による商品の表示方法を示している。このバーチャルショップで表示される商品１０３（図では、衣類となっている）は、複数の商品の二次元画像の中心座標をずらせて立体的に見えるように画面１００の左右に配置されている。図２および３は、表示のメイン画面を示し、画面右側に商品であるコートやセーター等の上服類を配置した状態を、画面左側に商品であるスカートやズボン等の下服類を複数配置した状態を示している。
【００２０】
そして、この画面１００の中央には、この立体的に配置された商品の二次元画像のうち、画面下部の商品選択指示部１０１によって選択された商品の二次元画像が画面中央に表示される。このとき、選択された商品の二次元画像は、画面中央に拡大して表示される。これにより、画面左右に配置された商品の二次元画像と重ならず、かつ、拡大表示するため、選択した商品をよりよく閲覧することができる。
このような表示は、予め記憶手段３０に記憶されている背景画像データと商品の２次元画像データを背景映像表示機能１１５と商品映像表示機能１１３によって実行される。
【００２１】
商品選択指示部１０１によって選択して画面中央に拡大して表示された商品の二次元画像は、画面下部の商品回転指示部１０２をクリックすることにより、図３に示すように、所定の回転速度および回転方向で３６０度にわたって回転して表示される。このように、商品の二次元画像を所定の回転速度で連続して見るようにすることで、選択された商品を３６０度の眺めで見ることが可能となる。
【００２２】
なお、図２および図３に示すように、例えば、上服類を画面右側に、下服類を画面左側に並べて配置し、同時に回転させることにより、洋服の組合せを容易に確認することができる。この配置は左右の並列でも良く、上服類を画面上側に下服類を上服類の画面下側に表示して縦列に配置するようにしても良い。上下に配置すれば、更に、洋服の組合せをイメージし易いというメリットもある。
【００２３】
図４は、この画面中央に表示された商品の一連の二次元画像の詳細画面を示す図である。
図２および図３の画面から画面中央に表示された商品の二次元画像をクリックすると、図４に示すように、当該表示された商品の詳細を示す商品詳細画面２００に遷移する。
この商品詳細画面２００には、当該商品の静止画が表示されるとともに、商品の価格，色あるいはサイズ等の仕様や、素材や注意事項等の商品説明が同時に表示されている。そして、当該遷移画面下部の商品回転方向指示部２０１をクリックすることにより、当該商品を右方向あるいは左方向に所定の回転角でスライド的に回転させることができる。また、ズーム指示部２０２をクリックすることにより、当該商品の特定の部位を拡大表示させることができる。なお、複数の商品を比較したい場合には、図２および図３に示した画面において、それぞれ所望の商品の二次元画像をクリックして並列的に配置すると比較が容易となる。
【００２４】
図５は、図２ないし図４に表示される商品１０３の一連の二次元画像データを示す図である。本実施の形態では、商品の二次元画像データ３００は、１２個の画像から構成される。この商品の各画像は、撮像制御機能１１６によって制御された撮像装置２０のデジタルカメラによって同じ焦点距離を保ちつつ、撮影される商品が置かれる平面の３６０度について、所定の増分角度（ここでは３０度）から撮影されてキャプチャされ、１２個の画像を構成する。この１２個の画像を所定の回転速度で連続して見るようにすることで、商品を３６０度の眺めで見ることが可能となる。また、１２個の画像により構成するようにしたので、画像の容量を比較的少なくすることができるため、サーバやネットワークのトラフィックに影響を及ぼすことはない。また、比較的少ない個数の画像で構成するため、低コストで三次元立体画像を表示させることができる。
【００２５】
図６および図７は、他の商品１０３を選択して表示させた状態を示す図である。図に示すように、図２、図３に述べた商品選択指示部１０１や商品回転指示部１０２の選択動作を行なうことにより、上服類と下服類のバリエーションを変えながら、画面中央で拡大表示させることができる。
【００２６】
なお、上記の例では、商品の二次元画像データ３００は、１２個の画像からなる構成としているが、この数に限るものではなく、１２個以上の整数個であれば良い。多くなればなるほどスムーズな回転を期待することができるためである。ただし、４８個以上になると、回転がスムーズになっても、その分画像の容量が大きくなるため、上記したようなサーバへの高負荷やネットワークトラフィックへの弊害が生じること、および、コストを抑える点からも、それ以下であることが望ましい。
【００２７】
本発明は前記した実施形態に限定されるものではなく、例えば以下のような種々の変形が可能である。
例えば、上記の実施形態では、商品の一連の二次元画像データを、撮像制御機能によって制御された撮像装置のデジタルカメラによって１２個以上の画像を撮影することによって得られるようにしていた。しかし、時間的な制約や撮影条件の不具合などによって画像が充分に撮影できない場合は、グラフィックス編集機能の映像補完処理機能を用いることによって、例えば９０度の増分角度で得た４個の画像を補完して１２個の画像を作成することも可能である。これによって撮影した画像の不足を補うことができる。
さらに、商品の種類によっては、商品の一連の二次元画像データの撮影方法を変えることで表示の回転方向を変えることも可能になる。
【産業上の利用可能性】
【００２８】
このように、商品を所定の増分角度で撮影してキャプチャし、１２個以上の整数個で画像を構成し、それをメイン画面上で回転表示させる構成であるため、商品の立体的なイメージを容易に確認することができる。このため、商品に限られることなく、あるもののプレゼンテーションを必要とする分野、例えば、旅行情報を提供する分野等にもこれを利用することができる。
【図面の簡単な説明】
【００２９】
【図１】本発明の実施の形態に係るバーチャル商品表示装置の構成を示すブロック図である。
【図２】図１に示すバーチャル商品表示装置によるバーチャルショップにおける商品の表示方法を示す図である。
【図３】図１に示すバーチャル商品表示装置によるバーチャルショップにおける商品の表示方法を示す図である。
【図４】図２および図３において画面中央に表示された商品の二次元画像の詳細画面を示す図である。
【図５】図２、図３および図２に表示される商品の一連の二次元画像データを示す図である。
【図６】図２および図３において画面中央に表示された商品以外の他の商品を選択して表示させた状態を示す図である。
【図７】図２および図３において画面中央に表示された商品以外の他の商品を選択して表示させた状態を示す図である。
【符号の説明】
【００３０】
１      バーチャル商品表示装置
１０    グラフィックスサーバ装置
２０    撮像装置
３０    記憶装置
４０    ネットワーク
５０Ａ、５０Ｂ    利用者端末
６０    キーボード
７０    マウス
８０    表示装置
９０    プリンタ
１００  画面
１０１  商品選択指示部
１０２  商品回転指示部
１０３  商品
２００  商品詳細画面
２０１  商品回転方向指示部
２０２  ズーム指示部
３００  二次元画像データ
【図１】
2009211671.tif 000003
【図２】
2009211671.tif 000004
【図３】
2009211671.tif 000005
【図４】
2009211671.tif 000006
【図５】
2009211671.tif 000007
【図６】
2009211671.tif 000008
【図７】
2009211671.tif 000009